(57)【要約】【課題】ノズル部材の連結筒の下端部に押圧プレートを連設し、連結筒とポンプのステムとの間に、大きなモーメントがかからないようにしたノズル部材を提供すること。【解決手段】ポンプを装着した取付キャップと、ポンプのステムに取着されたノズル部材とからなるスプレーノズルであって、ノズル部材は、ノズル基台と、ノズル基台に取着され、ノズルヘッドを具えたノズル本体とを具えており、ノズル基台に、ポンプのステムへの係合部に近接して押圧プレートが連設されていることを特徴とする。【選択図】　　　　図１
2004025037.tif 000002
【特許請求の範囲】
【請求項１】
ポンプを装着した取付キャップと、ポンプのステムに取着されたノズル部材とからなるスプレーノズルであって、
ノズル部材は、ノズル基台と、ノズル基台に取着され、ノズルヘッドを具えたノズル本体とを具えており、
ノズル基台に、ポンプのステムへの係合部に近接して押圧プレートが連設されていることを特徴とするスプレーノズル。
【発明の詳細な説明】
【０００１】
【発明の属する技術分野】
本発明は、スプレーノズル、特にスプレーノズルのノズル基台に連設する押圧プレートに関する。
【０００２】
【従来の技術】
スプレーとして、下端にフランジ（６、７）を設けたノズル（ブッシュ要素２）をエアゾールボトル（１）のステム（弁栓４）に取り付け、フランジを押し下げることによってノズル先端の噴出孔から薬液を噴霧するようにしたスプレーは、従来より知られており（例えば特公平６−１３０５３号公報参照）、また、下端に押圧プレート（１９）を設けたノズル部材（吐出接続部材２０）の内筒をポンプのステムに取付け、ノズル部材の押圧プレートを押下げることによってポンプから薬液を吐出し、ノズルの噴出孔から噴霧するようにしたスプレーも知られている（特公平６−６２１６９号公報参照）。
【０００３】
【発明が解決しようとする課題】
しかしながら、フランジ、或いは押圧プレートの押下げ操作にあたって、使用者は斜め押し、すなわちノズル部材の押下げ方向をボトルのステムやポンプの軸線に対して傾斜する方向に押下げる場合がある。
そのときには、上記特公平６−１３０５３号公報記載のスプレーでは、ステム先端とノズルの取付部との間に間隙が生じ、そこから内容物が洩れるという問題があった。
【０００４】
また、後記の特公平６−６２１６９号公報記載のスプレーでは、ノズルの外筒と内筒は、上端で接続されており、押圧力の作用点はノズルの上端部となっているので、斜め押しした場合は、作用点がステムの軸線から大きく外れ、内筒とポンプのステムとの間に大きなモーメントがかかり、ポンプのステム、ピストン部材を傾斜させるように作用し、上下動にあたって、ピストン部材がスムーズに上下動できなくなるという問題があった。
【０００５】
本発明は、上記の問題点を解決することを課題とし、ノズル部材の連結筒の下端部に押圧プレートを連設し、連結筒とポンプのステムとの間に、大きなモーメントがかからないようにしたノズル部材を提供することを目的とする。
【０００６】
【課題を解決するための手段】
本発明は、上記の課題を解決するため、スプレーノズルとして、ポンプを装着した取付キャップと、ポンプのステムに取着されたノズル部材とからなるスプレーノズルであって、ノズル部材は、ノズル基台と、ノズル基台に取着され、ノズルヘッドを具えたノズル本体とを具えており、ノズル基台に、ポンプのステムへの係合部に近接して押圧プレートが連設されていることを特徴とする構成を採用する。
【０００７】
【発明の実施の形態】
次に、本発明のスプレーノズルの実施形態について、図面を参照して説明する。
図１において、Ａは取付キャップ、Ｂは取付キャップＡに保持されたポンプ、Ｃはノズル部材、ＡＯ　は点鼻薬その他薬用液が充填された容器である。
【０００８】
取付キャップＡは、側周壁１と環状の上壁２とを具えており、側周壁１内周の上部は、下端に膨出環３を設けたポンプ支持面４となっており、ポンプ支持面４の下方には、容器ＡＯ　口部のねじに螺合するねじ５が螺設されている。
上壁２の下面は、ポンプＢの取付面となっており、上面周縁には、案内筒６が立設されている。
【０００９】
ポンプＢは、シリンダーＢ１とピストン部材Ｂ２とを具えており、シリンダーＢ１の上方部には、取付フランジ１０が設けられており、下端には、吸込みパイプ１１が取着されている。
【００１０】
ピストン部材Ｂ２のピストン部は、シリンダーＢ１内に内蔵されており、ポンプＢの内部構造は、ノズル部材Ｃの操作に応じて容器ＡＯ　の薬用液を吸上げ、ノズルから噴霧できるものであればよく、従来公知のものであるので説明を省略する。
シリンダーＢ１の上方には、ピストン部材Ｂ２のステム１２が突出している。
【００１１】
図１，２に示すように、ノズル部材Ｃは、ノズル基台２０と、該ノズル基台２０の先端に装着されたノズル本体２１とからなっている。
ノズル基台２０は、ピストン部材Ｂ２のステム１２に嵌着される連結筒２２とヘッド内筒２３、および連結筒２２の下部に連設された押圧部材２４とを具えており、連結筒２２の内周下端は拡径され、嵌合部２５が形成され、ステム１２の上端に嵌合されるようになっている。
【００１２】
連結筒２２の内部は流通路２６となっており、連結筒２２の上端部外周は、縮径されて係合筒部２７となっている。
係合筒部２７の上端には、流通孔２８が穿孔され、その上方にはヘッド内筒２３が続いている。
【００１３】
ヘッド内筒２３は、頂壁２９と側周壁３０とからなっており、側周壁３０には、流通孔２８に続く通路３１が設けられている。
【００１４】
連結筒２２の嵌合部２５の上方には、連結環３２が連設され、該連結環３２の外周縁から筒壁３３が垂設されている。
筒壁３３の下端には、押圧プレート３４が連設され、押圧プレート３４の下面には、案内筒３５が垂設されている。
連結環３２、筒壁３３、押圧プレート３４によって押圧部材２４が構成されている。
【００１５】
押圧プレート３４の上下方向での位置は、連結筒２２とポンプＢのステム１２との係合部と等しい位置、或いは近接した位置としている。
連結筒２２上での連結環３２の位置は、ヘッド内筒２３と連結筒２２を合わせた長さの少なくとも１／２、好ましくは１／３より下方で、押圧プレート３４との間の距離が、筒壁３３にノズル本体２１を係合保持できるだけの長さを残すようにできる位置であればよい。
【００１６】
ノズル本体２１は、ノズルヘッド４０と、該ノズルヘッド４０の外周縁に沿って垂下するノズル筒４１とからなっている。
ノズルヘッド４０は、頂壁４２と側壁４３とを具え、頂壁４２の中央には、噴霧孔４４が穿孔されており、ノズル基台２０の嵌合筒部２７に嵌合される取付筒４５が垂設されている。
【００１７】
ノズルヘッド４０をノズル基台２０に取着したときには、ノズルヘッド４０とヘッド内筒２３のそれぞれの頂壁４２と頂壁２９の間隙、および側壁４３内周と側周壁３０との間隙によって流路４６が形成され、連結筒２２の流通路２６、流通孔２８、流通路３１に続く噴出流路が構成される。
【００１８】
ノズル筒４１の下部は、押圧部材２４の筒壁３３に嵌挿されるようになっており、下端には、筒壁３３の下端に係合する膨出環４７が設けられている。
【００１９】
次に、本実施形態のスプレーノズルの使用態様と作用効果について説明する。本発明のスプレーノズルは、取付キャップＡに保持されたポンプＢのステム１２にノズル部材Ｃの連結筒２２の嵌合部２５を嵌合するようにノズル部材Ｃを取着し、取付キャップＡを、点鼻薬その他の薬用液を充填した容器Ａ０　にパッキンを介して螺着することによって得られる。
【００２０】
ノズル部材Ｃの組立にあたって、ノズル本体２１のノズルヘッド４０を、ノズル基台２０の連結筒２２の係合筒部２７に嵌着するとともに、ノズル筒４１の下部を押圧部材２４の筒壁３３に嵌挿する。
【００２１】
スプレーノズルの使用にあたって、オーバーキャップ（図示しない）を取外し、ノズル基台２０の押圧部材２４の押圧プレート３４を押下げると、ポンプＢのピストン部材Ｂ２が押下げられ、薬用液をノズルヘッド４０の噴霧孔４４より噴霧することができる。
【００２２】
次いで、押圧プレート３４から手を離すと、ポンプＢ内に弾装されたばねの付勢により、ノズル部材Ｃが上昇し、容器ＡＯ　内の薬用液が吸込みパイプ１１を通じてポンプＢのシリンダーＢ１内に吸上げられる。
【００２３】
押圧プレート３４の押下げ時に、斜め押しすることがあっても、連結環３２は、連結筒２２の下部に連結されており、力の作用点は大きく偏寄しないので、ピストン部材Ｂ２のステム１２をスムーズに上下動させることができる。
【００２４】
上記実施形態において、噴霧孔の形状、スピン溝の付加等、ノズルヘッド４０の形状を変えることによって、噴霧パターン等を変えることができる。
また、ノズル本体２１と押圧プレート３４の色彩を変えることによって加飾の異なるスプレーを得ることができる。
【００２５】
前記実施形態では、ノズル本体２１のノズル筒４１を押圧部材２４の筒壁３３に嵌合するようにしたが、筒壁３３の外周と、ノズル筒４１下部内周にねじを螺設して螺合させるようにしてもよい。
【００２６】
また上記ノズル部材をエアゾール容器のステムに取り付けエアゾール容器用のノズル部材として使用することもできる。
【００２７】
【発明の効果】
本発明は、上記のように構成されているから、次の効果を奏する。
ノズル基台に、ポンプのステムへの係合部に近接して押圧プレートを連接したから、斜め押ししてもノズル基台にかかる押圧力の作用点がステムの軸線からわずかしか偏寄しないようになり、ステムにかかるモーメントが少なくなるので、ピストン部材は、常にスムーズに上下動させることができる。
【図面の簡単な説明】
【図１】本発明スプレーノズルの一部断面立面図である。
【図２】ノズル部材の断面立面図である。
【符号の説明】
Ａ　　取付キャップ
ＡＯ　　容器
Ｂ　　ポンプ
Ｂ１　シリンダー
Ｂ２　ピストン部材
Ｃ　　ノズル部材
１　　側周壁
２　　上壁
３　　膨出環
４　　ポンプ支持面
５　　ねじ
６　　案内筒
１０　取付フランジ
１１　吸込パイプ
１２　ステム
２０　ノズル基台
２１　ノズル本体
２２　連結筒
２３　ヘッド内筒
２４　押圧部材
２５　嵌合部
２６　流通路
２７　係合筒部
２８　流通孔
２９　頂壁
３０　側周壁
３１　流通路
３２　連結環
３３　筒壁
３４　押圧プレート
３５　案内筒
４０　ノズルヘッド
４１　ノズル筒
４２　頂壁
４３　側壁
４４　噴霧孔
４５　取付筒
４６　流路
４７　膨出環
【図１】
2004025037.tif 000003
【図２】
2004025037.tif 000004